(57)【要約】【課題】消費電力の増加を抑えながら、第１走行体をさらに小型化することができる画像読取装置を得る。【解決手段】原稿を照明する照明光源４０と、原稿からの反射光を結像する結像光学系１８と、結像光学系１８の結像位置に配置されかつ受光素子が一方向に配列された受光素子アレイ３０と、原稿と結像光学系１８の光路中に配置された少なくとも１枚のミラー１６，２２，２３と、を有し、照明光源４０からの照明光は、ミラーを介して原稿に照射される。照明光源４０の遠視野領域における強度分布の最大である方向と、結像光学系１８の光軸方向とは、原稿面の法線方向に対し、相対する略等しい角度になるように配置するとよい。【選択図】図１
2006174382.tif 000002
【特許請求の範囲】
【請求項１】
原稿を照明する照明光源と、原稿からの反射光を結像する結像光学系と、結像光学系の結像位置におかれかつ一方向に配列された受光素子アレイと、原稿と結像光学系の光路中に配置された少なくとも１枚のミラーと、を有する原稿読取装置において、
上記照明光源からの照明光は、上記ミラーを介して原稿に照射されることを特徴とする原稿照明方法。
【請求項２】
前記照明光源の遠視野領域における強度分布の最大である方向と、結像光学系の光軸方向とは、原稿面の法線方向に対し、相対する略等しい角度になるように配置することを特徴とする請求項１記載の原稿照明方法。
【請求項３】
前記受光素子アレイは、照明光源からの光の波長を分離するためのフィルタを受光素子アレイの素子前方に配置した複数の受光素子アレイをアレイ方向と直交する方向に複数列配置していることを特徴とする請求項１記載の原稿照明方法。
【請求項４】
前記受光素子アレイは、照明光源からの光の波長を分離するためのフィルタを受光素子アレイの素子前方に配置した複数の受光素子アレイをアレイ方向と直交する方向に複数列配置しており、前記照明光源は、前記フィルタの透過波長と略等しい波長を有する複数の照明光源であることを特徴とする請求項１記載の原稿照明方法。
【請求項５】
前記複数の発光素子アレイ前方に配置したフィルタの並び順と、複数の照明光源の並び順とは、原稿面の法線からの並び順が相等しいことを特徴とする請求項４記載の原稿照明方法。
【請求項６】
前記照明光源は、複数の発光素子を並べたアレイ光源であることを特徴とする請求項１記載の原稿照明方法。
【請求項７】
請求項１ないし、６記載の原稿照明方法を用いた画像読取装置。
【請求項８】
前記受光素子アレイは、単一の受光素子アレイであるのに対し、前記照明光源は発光波長の異なる複数の照明光源であり、複数の照明光源は時間で分割して、順次点灯し、それぞれの照明光源で原稿を読取ることを特徴とする原稿読取装置。
【請求項９】
前記受光素子アレイは、単一の受光素子アレイであるのに対し、前記照明光源は発光波長の異なる複数の照明光源であり、一度任意の照明光源毎に原稿全体を読取った後、照明光源を換えて繰り返し原稿を読取ることを特徴とする原稿読取装置。
【請求項１０】
請求項７ないし９記載の原稿読取装置を具備したことを特徴とする画像形成装置。
【発明の詳細な説明】
【技術分野】
【０００１】
本発明は、原稿を走査して読み取る原稿読取装置および画像形成装置に関するもので、デジタルファクシミリ，デジタル複写機、プリンタ等に適用可能なものである。
【背景技術】
【０００２】
まず、原稿読取装置の概要を説明する。ここでは、受光素子、すなわち、入射した光信号を電気信号に変換する素子が一列に並んだ受光素子アレイを用いた原稿読取装置について説明する。受光素子アレイの例として、１ラインＣＣＤ（電荷結合素子：チャージ・カップルド・デバイス）や、３ラインＣＣＤ等がある。３ラインＣＣＤは、透過波長の異なる色分離フィルタを用いて原稿の画像を各色に対応する画像に分解し、各色の画像を電気的なデータに変換する場合に用いられる。
【０００３】
このような原稿読取装置は、線状に伸びた照明光源を使用して原稿の読取る部分をスリット状に照明するようになっている。原稿面の照明方法の例として、原稿面の近傍に照明光源を配置し、照明光源からの照明光によって直接原稿面を照明するように構成したものがある（例えば、特許文献１参照）。別の原稿照明方法として、原稿面の法線方向に対して光源と相対する位置に反射ミラーを設けて照明光を原稿面に導き、原稿面上の照射光量を増やす方法が知られている。
【０００４】
次に、上記のような照明手段を含む従来の画像読取装置の例について概要を説明する。図８において、原稿を載置するコンタクトガラス１０の下方直近には、コンタクトガラス１０の下面と平行に走行する第１走行体１２が配置されている。第１走行体１２には、コンタクトガラス１０に載置される原稿の面を照明する照明光源１４と、照明された原稿面からの反射光を側方に反射する第１ミラー１６を一体に有している。第１ミラー１６による反射光路上には、第２ミラー２２と第３ミラー２４による折り返し光学系を有する第２走行体２０が、第１走行体１２と同期して同じ方向にかつ第１走行体１２の走行速度の１／２の速度で走行するように配置されている。第２、第３ミラー２２，２４によって折り返される光路上には結像光学系１８が配置され、結像光学系１８による結像位置には受光素子アレイ３０が配置されている。
【０００５】
上記第１走行体１２とともに照明光源１４が走行しながら、照明光源１４からの照明光がコンタクトガラス１０上の原稿面をスリット状に照明していく。照明光は原稿面で反射され、この反射光は第１ミラー１６、第２ミラー２２、第３ミラー２４で反射されて結像光学系１８に導かれ、結像光学系１８の像面位置に置かれた受光素子アレイ３０の受光面に結像する。受光素子アレイ３０は多数の受光素子を一列に並べたもので、受光面に結像される原稿の画像を、受光素子アレイ３０の１ライン分ずつ受光し、原稿画像に応じて光電変換し原稿画像データを出力する。例えば、受光素子が４６８０個並んで受光素子アレイ３０を構成しているものとすると、幅２９７ｍｍのＡ３サイズの原稿画像を約４００ｄｐｉの読取密度でデータ化することができる。原稿読取装置は、この１ライン分の原稿データを、第１ミラー１６と、第２、第３ミラー２２，２４からなるミラーを走行させながら原稿面を走査し、原稿１枚分の画像データを取得する。
【０００６】
次に、上記各ミラーの走査方法について説明する。照明光源１４と第１のミラー１６は、第１走行体１２に取り付けられて一体となって走行するように構成されている。第２，第３のミラー２２，２４も第２走行体２０に取り付けられて一体となって走行するように構成されている。第１走行体１２は、原稿を読み取る方向に走行し、第２走行体２０は第１走行体１２に追従するように原稿を読み取る方向に走査する。第１走行体１２と第２走行体２０の走行速度比は２：１であり、これによって、原稿面から結像面までの光路長を一定に保つことができる。このように各走行体１２，２０を走行させながら受光素子アレイ３０で１ラインずつ原稿画像を逐次データ化し、原稿１枚分のデータを取得する。
【０００７】
従来の原稿読取装置では、図８について説明したとおり、通常、第１走行体１２中に第１ミラー１６とともに照明光源１４が配置されている。照明光源１４が第１走行体１２中にあると、第１走行体１２が大きくなってしまい、第１走行体１２が通過する部分を空間として大きく空ける必要があるため、原稿読取装置自体を大きくせざるを得ない。
【０００８】
この改善策として、すなわち第１走行体の小型化を図ることを目的として、照明光源としての蛍光灯の、原稿台とは反対側の背面を、剛性が高く導電性を有する材料からなる補強部材で囲み、この補強部材に反射率の高い反射面を設けることが提案されている（例えば、特許文献２参照）。かかる構成により、照明光源の径を小さくすることができる。しかし、原稿面上の照射される光量を増やすために、反射面を持つ補強部材で蛍光灯を保持し、さらには、発熱体を第１走行体に併設することから、余分な消費電力が発生する難点がある。
【０００９】
【特許文献１】特開２００１−２４５１１０号公報
【特許文献２】特許第３０４０８５０号公報
【発明の開示】
【発明が解決しようとする課題】
【００１０】
本発明は、原稿読取装置全体で小型化させることを目的とし、より具体的には、消費電力の増加を抑えながら、第１走行体をさらに小型化することを課題とする。
【課題を解決するための手段】
【００１１】
請求項１記載の発明は、原稿を照明する照明光源と、原稿からの反射光を結像する結像光学系と、結像光学系の結像位置に配置されかつ受光素子が一方向に配列された受光素子アレイと、原稿と結像光学系の光路中に配置された少なくとも１枚のミラーと、を有する原稿読取装置において、上記照明光源からの照明光は、上記ミラーを介して原稿に照射されることを特徴とする。
【００１２】
請求項２記載の発明は、請求項１記載の発明において、上記照明光源の遠視野領域における強度分布の最大である方向と、結像光学系の光軸方向とは、原稿面の法線方向に対し、相対する略等しい角度になるように配置されていることを特徴とする。
【００１３】
請求項３記載の発明は、請求項１記載の発明において、上記受光素子アレイは複数の受光素子アレイからなり、この複数の受光素子アレイは、受光素子の配列方向に対し直交する方向に配置され、各受光素子アレイの前方には、照明光源からの光の波長を分離するためのフィルタが配置されていることを特徴とする。
【００１４】
請求項４記載の発明は、請求項１記載の発明において、上記受光素子アレイは複数の受光素子アレイからなり、この複数の受光素子アレイは、受光素子の配列方向に対し直交する方向に配置され、各受光素子アレイの前方には、照明光源からの光の波長を分離するためのフィルタが配置され、前記照明光源は、上記各フィルタの透過波長と略等しい波長を有する複数の照明光源であることを特徴とする。
請求項５記載の発明は、請求項４記載の発明において、上記複数の発光素子アレイ前方に配置したフィルタの並び順と、複数の照明光源の並び順とは、原稿面の法線からの並び順が相等しいことを特徴とする。
【００１５】
請求項６記載の発明は、請求項１記載の発明において、上記照明光源は、複数の発光素子を並べたアレイ光源であることを特徴とする。
請求項７記載の発明は、請求項１記載の発明において、上記受光素子アレイは、単一の受光素子アレイであるのに対し、照明光源は発光波長の異なる複数の照明光源であり、複数の照明光源は時間で分割されて順次点灯し、それぞれの照明光源で原稿を読取ることを特徴とする。
【００１６】
請求項８記載の発明は、請求項１記載の発明において、上記受光素子アレイは、単一の受光素子アレイであるのに対し、照明光源は発光波長の異なる複数の照明光源であり、任意の照明光源毎に原稿を照明して原稿全体を読取った後、照明光源を換えて繰り返し原稿を読取ることを特徴とする。
【００１７】
請求項９記載の発明は、電子写真方式の画像形成装置であって、電子写真装置の露光部に入力される原稿データが、請求項１ないし６のいずれかに記載の原稿読取装置によって読み取られた画像データであることを特徴とする。
請求項１０記載の発明は、電子写真方式の画像形成装置であって、電子写真装置の露光部に入力される原稿データが、請求項７ないし９のいずれかに記載の原稿読取装置によって読み取られた画像データであることを特徴とする。
【発明の効果】
【００１８】
請求項１記載の発明によれば、走行体に照明光源を配置する必要がなく、走行体を小さくすることができるので、原稿読取装置を小型化することができる。また、照明光源の位置を固定することができるため、電源供給の安定性を高めることができ、さらに、走行体が走行するときに発生する振動による原稿面の照度むらの影響を小さく抑えることができる。
【００１９】
請求項２記載の発明によれば、原稿面からの反射光を、照明光源による反射の正反射成分と等しくすることにより、照明光の利用効率を高くすることができ、照明光源の消費電力を抑える効果が得られる。
【００２０】
請求項３記載の発明によれば、原稿の色成分を読取ることが可能となり、請求項１記載の原稿読取装置のカラー化が可能となる。
【００２１】
請求項４記載の発明によれば、各色に対応した受光素子アレイが必要とする波長成分のみを利用することができるため、光の利用効率が高くすることができ、消費電力を抑えることができる。さらに、照明光源の波長の広がりを小さくすることを同時に行えば、被視界深度を深くすることができ、原稿の浮き上がり等による原稿読取エラーを軽減することができる。
【００２２】
請求項５記載の発明によれば、各色に対応した受光素子アレイが受光する原稿面からの反射光は、各々が必要とする波長成分を持つ照明光源が原稿面で反射する反射光のうち正反射成分に近づけることが可能となり、照明光の利用効率をさらに上げることが可能となり、消費電力を低減できる効果が得られる。
【００２３】
請求項６記載の発明は、発光素子が並んだ発光素子アレイを利用することにより、従来照明光源に用いられているランプよりも発熱を抑えることが可能である。また、波長の広がりの小さい照明光も容易に得られる。さらに、発光素子ごとに発光量を変えることができることから、原稿面上の照度むらを低減させるという効果も得られる。
【００２４】
請求項７記載の発明は、単一の受光素子アレイを用いたカラーの原稿読取装置を可能とする一つの手段であり、受光素子アレイを減らすことができ、低コスト化を図ることができる。
請求項８記載の発明は、単一の受光素子アレイを用いたカラーの原稿読取装置を可能とする一つの手段であり、受光素子アレイの数を少なくすることができ、低コスト化を図ることができる。
【００２５】
請求項９記載の発明は、請求項１から６のいずれかに記載の原稿読取装置を利用して画像形成装置を構成することにより、画像形成装置の小型化を図ることができる。
請求項１０記載の発明は、請求項７ないし９のいずれかに記載の原稿読取装置を利用して画像形成装置を構成することにより、カラー画像形成装置を構成することができるとともに、カラー画像形成装置の小型化を図ることができる。
【発明を実施するための最良の形態】
【００２６】
以下、本発明にかかる原稿読取装置および画像形成装置の実施例について図面を参照しながら説明する。なお、図８に示す従来例の構成と同じ構成部分には同じ符号を付した。
【実施例１】
【００２７】
図１において、符号１０はコンタクトガラス、１２は第１走行体、１６は第１ミラー、２０は第２走行体、２２は第２ミラー、２４は第３ミラー、１８は結像光学系、３０は受光素子アレイをそれぞれ示している。これらの部材は、図８に示す従来例の共通の符号を付した部材と同じものと考えてよい。図１に示す実施例が図８に示す従来例と異なる点は、照明光源４０を第１走行体１２中に配置するのではなく、結像光学系１８の近傍に配置して、照明光源４０からの照明光を、原稿を読み取るためのミラーを用いて原稿面に導く構成になっていることである。すなわち、照明光源３０は結像光学系１８の近傍から照明光を第３ミラー２４に向かって投射するように配置され、第３、第２ミラー２４，２２で折り返された照明光が第１ミラー１６で反射され、原稿面に照射されるように構成されている。原稿面は照明光を反射し、この反射光は、従来例と同様に第１ミラー１６、第２ミラー２２、第３ミラー２４の順番で反射されて結像光学系１８に入射し、受光素子アレイ３０上に結像される。
【００２８】
このように各光学素子を配置することにより、原稿に照明光を照射する光学系と、原稿を読み取る光学系をほぼ共通化しているため、照明用の光学系を設けることなく、第１走行体１２を小型化し、軽量化することが可能となる。そして、第１走行体１２を小型化することにより、原稿読取装置全体の大きさを小さくすることが可能となる。
【００２９】
さらに、照明光源４０は、走行体以外の場所に固定して配置することができることから、照明光源４０に電源を供給するための配線の這いまわしを工夫する必要がなくなり、電源供給が容易になるという効果も得られる。
【００３０】
さらに、走行体が走行中に振動したとき、従来例によれば、照明の明るい位置と読取位置がずれてしまうことがあったが、本発明の上記実施例によれば、照射光と反射光が同じミラーを経由して導かれるため、照明光の照射位置と、原稿画像の読取位置のずれを小さく抑えることができるという効果も得られる。
【００３１】
図１では、原稿面の法線方向を一点鎖線で示している。この法線に対して照明光源４０の遠視野領域における発光強度の強い方向がなす角度と、上記法線に対して結像光学系１８の光軸方向がなす角度を等しくし、原稿面の法線に対して、各々相対する位置に照明光源４０と結像光学系１８を配置している。従来例では、照明光源で照らされた原稿からの反射光のうち乱反射成分を結像光学系で受光素子アレイに結像していた。これに対し、図１に示す実施例では、照明光源４０と結像光学系１８を上記の配置関係とすることにより、照明光源４０により照明された原稿からの反射光のうち、正反射成分に近い強度の強い反射光を受光素子アレイ３０に入射させることができるため、従来の画像読取装置における照明方法に比べて、照明光の利用効率を高くすることが可能となる。
【実施例２】
【００３２】
次に、本発明をカラー原稿の読取りに適用する場合の実施例について説明する。図２はその一例を示す。図２において、受光素子アレイ３０は、３列の受光素子アレイ３１，３２，３３からなり、これらの受光素子アレイを、受光素子の配列方向に対し直交する方向に、かつ結像光学系１８の像平面上に並べてなる。そして、透過波長が異なるフィルタ、例えば、赤色の波長のみ透過するフィルタ、緑色の波長のみ透過するフィルタ、青色の波長のみを透過するフィルタ、の３つのフィルタを用い、各フィルタを３列の受光素子アレイのそれぞれに配置して、赤用の受光素子アレイ３１、緑用の受光素子アレイ３２、青用の受光素子アレイ３３としている。一方、照明光源４０は、３色の波長を内包する照明光を放射するようになっていて、この照明光を原稿に照射することにより、原稿の色情報を上記それぞれのフィルタで分離し、上記各受講素子アレイ３１，３２，３３で読取る。このようにして、カラーの原稿を読み取り、それぞれの色に対応した画像データを得ることができるように構成されている。
【実施例３】
【００３３】
次に、実施例３について説明する。この実施例も、本発明をカラー原稿の読取りに適用可能なものであって、複数の受光素子アレイに配置されたそれぞれのフィルタとほぼ同等の波長の光を発光する照明光源を、フィルタと同数配置することを特徴としている。例えば、先述のように、赤、緑、青の３色のフィルタを用い、照明光源に３色を包含する白色に発光する光源を使用した場合は、３色のフィルタを透過する波長成分以外の光は、無駄になってしまい、光の利用効率が悪い。そこで、図３に示す実施例３では、照明光源４０として、３個の照明光源４１，４２，４３を配置し、各照明光源を、赤、緑、青、それぞれの光を発する照明光源としている。このような構成にすることにより、無駄になる波長成分を抑えることができる。
【００３４】
また、３つの照明光源４１，４２，４３から放射される照明光の、波長の広がりが広いときは、例えば、原稿面から原稿が浮き上がった場合、結像光学系１８の色収差の影響で、正しく原稿を読み取ることができなくなることがある。そこで、３つの照明光源４１，４２，４３から放射される３色それぞれの照明光の波長の広がりを小さく抑えておくとよい。こうしておけば、例えば、原稿面から原稿が浮き上がった場合でも、結像光学系１８の色収差の影響を小さくすることができるので、被写界深度を深く取ることができ、原稿面の浮き上がりに対しても十分対応できる。
【００３５】
図３に示す実施例では、原稿面の法線（一点鎖線で示す）からの３色の照明光源４０の並び順と、原稿面の法線からの３色の照明光源４０に対応したそれぞれの受光素子アレイ３１，３２，３３の並び順が等しくなっている。このような配置にすれば、各色において、原稿面の法線方向に対し、原稿面での照明光の原稿面への入射角度と、受光素子アレイ３０に取り込まれる原稿面からの反射角度との関係が、正反射となるため、全ての波長において光の利用効率を高くすることができる。
【００３６】
図３に示す実施例において、３色の照明光源４１，４２，４３は、これをＬＥＤ，ＬＤ（レーザーダイオード），ＥＬ（エレクトロ・ルミネッセンス）等の自発光素子を並べた発光素子アレイとすることができる。例えば、従来、原稿読取装置に用いられているＸｅ（キセノン）ランプでは、ランプの中心部で照らされた原稿面の位置と周辺部で照らされた原稿面の位置とで明るさに差が生じてしまう。これを解決するために、例えば、前記特許文献１記載の発明では、曲率を持ったミラーを付加して照明光を均一化している。
しかし、上記の例のように、自発光素子を並べた発光素子アレイを照明光源とすることにより、周辺部の発光素子と中心部の発光素子の輝度を個別に変化させることができるので、例えば、原稿面の周辺部の明るさが暗い場合は、周辺部の発光素子のみ、発光光量を高くして原稿面の明るさのばらつきを補正するように構成するとよい。こうすることにより、新たに部品を追加させることなく原稿面の明るさのばらつきを低減させることが可能となる。
【００３７】
また、従来の読取装置に照明光源として用いられているＸｅランプは、発熱が問題になっていたが、発光素子アレイによる光源であれば発熱は小さく抑えることができる。さらに、発光素子アレイはＸｅランプに比べ光の指向性が高く、また本発明の照明方法であれば、光量の多い正反射成分に近い反射光を利用できるため、従来使用されていたＸｅランプに比べて、小電力による発光であっても原稿の読取が可能となる。
【００３８】
図４は、複数の発光素子４６が配列されることによって構成された発光素子アレイ４５の前面に、発光素子４６の配列方向と直交する方向にのみ曲率を有するシリンドリカルレンズ４７を配置してなる照明光源の例を示す。かかる構成の、照明光源を用いれば、照明光源からの光の広がりを抑えることができ、原稿面から反射する正反射成分の光量を上げるのに有効である。
【実施例４】
【００３９】
受光素子アレイとして、３ラインの受光素子アレイを用いなくても、カラー原稿を読み取ることができる。図５に示す実施例はその例であって、１つの受光素子アレイで済むため、コストを抑えることができる。図５において、複数色、例えば赤、緑、青の３色の照明光源４０を、赤、緑、青、赤、緑、青、・・・の順で点灯させる。受光素子アレイ３０側は照明光源４０の発光パターンと同期して、例えば、図５（ａ）に示すように、赤の照明光源の時は赤のときの原稿データ、図５（ｂ）に示すように、緑の照明光源のときは緑のときの原稿データ、図５（ｃ）に示すように、青の照明光源のときは青のときの原稿データ・・・というように順に読み取っていく。各色に対応する画像データを１ラインごとに合成することにより、３ライン構成の受光素子アレイを用いた場合と同様に、１回の原稿の走査でカラー原稿を読み取ることが可能となる。
【実施例５】
【００４０】
また、上記実施例４とは異なり、図６に示す実施例５のように、受光素子アレイ３０は受光素子を１列のみとし、照明光源４０を、赤、緑、青の３色の照明光源としたものである。そして、３色の照明光源のうち、例えば、図６（ａ）に示すように、赤の照明光源で、一旦１枚の原稿全部を読取り、次に図６（ｂ）に示すように、緑での照明光源で同様に１枚の原稿を読取り、最後に図６（ｃ）に示すように、青の照明光源で同様に１枚の原稿を読取るようになっている。これらの読取りデータを最後に合成すれば、カラーの原稿を読み取ることができる。このように、図６に示す実施例５でも、カラー原稿の読み取りが可能となる。
【００４１】
以上説明してきた本発明にかかる原稿読取装置の各実施例は、これを複写機、プリンタ、ファクシミリなどの画像形成装置に適用することができ、画像形成装置の小型化をはかることができる。図７は、本発明にかかる原稿読取装置を用いた電子写真方式の画像形成装置の例を示す。図７において、符号５０は本発明にかかる原稿読取装置を、符号６０は画像形成部を示している。原稿読取装置５０は、前述のとおり、コンタクトガラス１０、第１走行体１２、第１ミラー１６、第２走行体２０、第２ミラー２２、第３ミラー２３、結像光学系１８、受光素子アレイ３０、照明光源４０を有してなる。
【００４２】
原稿読取装置５０と組み合わせられる画像形成部６０は、像担持体であるドラム状の感光体８０の周りに、帯電部６２、露光部６４、現像部６６、転写部６８、クリーナー部７２、徐電部７４を有する。感光体８０は、図７において時計方向に回転駆動され、帯電部６２で感光体８０の表面に一定の電荷を均一に与えられる。感光体８０は、帯電部６２で与えられた電荷を保持しているが、露光部６４において、原稿読取装置５０で読み取った原稿データ５２に従った光信号が照射されることにより、光が照射された部分の電荷を失い、感光体８０には原稿データに従った電荷のみが残る。これを潜像と呼ぶ。上記露光部６４は、例えば、光走査装置からなり、原稿読取装置５０で読み取られた原稿データ５２にしたがって１ラインずつ光走査が行われ、感光体８０の表面が露光される。
【００４３】
現像部６６では、上記潜像にトナーを付着させ、感光体８０上にトナー像を形成する。形成されたトナー像は、転写部６８で、紙搬送路に沿って送られてきた記録紙７６上に転写される。この後、転写されることなく感光体８０の表面に残ったトナー像をクリーナー部７２で落とし、徐電部７４では帯電の残りを除去する。その後、感光体８０は再び帯電部６２で帯電され、これらの一連の作業を繰り返して画像を形成する。
トナー像が転写された記録紙７６は、紙搬送路の下流側にある定着部７０で、熱と圧力が加えられ、トナー像が記録紙７６に固着されて搬出されることにより原稿の複写が完成する。
【図面の簡単な説明】
【００４４】
【図１】本発明にかかる画像読取装置の実施例１を示す光学配置図である。
【図２】本発明にかかる画像読取装置の実施例２を示す光学配置図である。
【図３】本発明にかかる画像読取装置の実施例３を示す光学配置図である。
【図４】本発明に適用可能な発光素子アレイの例を示す斜視図である。
【図５】本発明にかかる画像読取装置の実施例４を示すもので、（ａ）（ｂ）（ｃ）はデータ読取り動作を順に示す光学配置図、（ｄ）は原稿画像の例を示す正面図である。
【図６】本発明にかかる画像読取装置の実施例５を示すであって、（ａ）（ｂ）（ｃ）はデータ読取り動作を順に示す光学配置図、（ｄ）は原稿画像の例を示す正面図である。
【図７】本発明にかかる画像形成装置の実施例を示す概念図である。
【図８】従来の画像読取装置の例を示す光学配置図である。
【符号の説明】
【００４５】
１２    第１走行体
１６    第１ミラー
１８    結像光学系
２０    第２走行体
２２    第２ミラー
２４    第３ミラー
３０    受光素子アレイ
４０    照明光源
【図１】
2006174382.tif 000003
【図２】
2006174382.tif 000004
【図３】
2006174382.tif 000005
【図４】
2006174382.tif 000006
【図５】
2006174382.tif 000007
【図６】
2006174382.tif 000008
【図７】
2006174382.tif 000009
【図８】
2006174382.tif 000010